(57)【特許請求の範囲】
【請求項１】
人差指部２０の先端側２１と親指部１０の付け根側１２とに連結された第１板部Ｐ１を備え、前記第１板部Ｐ１は、
前記人差指部２０の前記先端側２１から前記親指部１０の前記付け根側１２に向かって斜めに延びる第１エッジラインＥ１と、
前記親指部１０から前記人差指部２０の前記先端側２１に向かって斜めに延びる第２エッジラインＥ２とを有し、
前記第１エッジラインＥ１が、前記人差指部２０の前記先端側２１から、前記親指部１０と前記人差指部２０との間に形成された領域Ａを左右に３等分した中央の中央部Ｃまで連続的または断続的に延び、
前記第２エッジラインＥ２が前記親指部１０から前記中央部Ｃまで連続的または断続的に延びている、グラブのウェブ。
【請求項２】
請求項１に記載されたグラブのウェブにおいて、前記第１エッジラインＥ１よりも前記第２エッジラインＥ２の方が前記親指部１０のウェブ１側の先端１０Ｔに近い位置に配置され、
前記人差指部２０の先端側２１から前記中央部Ｃまで延びる前記第１エッジラインＥ１に直交する仮想のラインＶＬが前記親指部１０から前記中央部Ｃまで延びる前記第２エッジラインＥ２に交差するように、前記第１板部Ｐ１が設けられている、グラブのウェブ。
【請求項３】
請求項２に記載されたグラブのウェブにおいて、前記第１エッジラインＥ１と前記第２エッジラインＥ２とは、前記中央部Ｃにおいて、前記第１板部Ｐ１を挟んで互いに対峙するように配置されている、グラブのウェブ。
【請求項４】
請求項１に記載されたグラブのウェブにおいて、前記人差指部２０の前記先端側２１と前記親指部１０の先端側１１とに連結された第２板部Ｐ２を更に備え、
前記親指部１０の前記先端側１１から前記人差指部２０の前記先端側２１に向かって延び前記第２エッジラインＥ２に対向する第３エッジラインＥ３を前記第２板部Ｐ２が備え、
前記人差指部２０の付け根側２２と前記親指部１０の付け根側１２とに連結された第３板部Ｐ３を更に備え、
前記人差指部２０から前記親指部１０に向かって延び前記第１エッジラインＥ１に対向する第４エッジラインＥ４を前記第３板部Ｐ３が備える、グラブのウェブ。
【請求項５】
請求項４に記載されたグラブのウェブにおいて、前記第１エッジラインＥ１と前記第４エッジラインＥ４との間に形成され、前記第１エッジラインＥ１から前記人差指部２０の付け根側２２に向かって拡がる第１柔領域Ａ１と、
前記第２エッジラインＥ２と第３エッジラインＥ３との間に形成され、前記第２エッジラインＥ２から前記親指部１０の先端側１１に向かって拡がる第２柔領域Ａ２とを備える、グラブのウェブ。
【請求項６】
請求項２〜５のいずれか１項に記載されたグラブのウェブにおいて、前記第１板部Ｐ１の延びる方向に交差する方向に延びたレースおよび／または板材で形成された補助部７を更に備え、前記第１板部Ｐ１の厚さＴおよび幅Ｗと、前記補助部７の厚さと幅とが下記の（１）式を満たす、グラブのウェブ
Ｔ３＊Ｗ＞１．２＊（Ｔ1３＊Ｗ１＋…＋Ｔi３＊Ｗi＋…＋Ｔn３＊Ｗn）……（１）
但し、
Ｔi：任意の補助部の厚さ
Ｗi：任意の補助部の幅。
【請求項７】
請求項１記載されたグラブのウェブにおいて、前記第１エッジラインＥ１よりも前記第２エッジラインＥ２の方が前記親指部１０のウェブ１側の先端１０Ｔに近い位置に配置され、
前記人差指部２０のウェブ１側のエッジラインＥ２０と前記第１エッジラインＥ１とのなす角θが４０°以上６５°以下に設定されている、グラブのウェブ。
【発明の詳細な説明】
【技術分野】
【０００１】
本発明は野球、準硬式、軟式およびソフトボールのグラブのウェブに関する。
【背景技術】
【０００２】
新品の野球用グラブは硬くて、開けたり閉じたりする操作が難しく、捕球ミスを誘発する可能性が高い。そのため、使用者が最も操作し易い型に型付けすることが行われている。型付けの経験が少ない場合、使用者が捕球操作し易い型に型付けすることは難しい。そこで、型付けしなくても閉じ易いグラブが開発されている。（特許文献１〜５）。
【先行技術文献】
【特許文献】
【０００３】
【特許文献１】ＪＰ２００１−１２９１４６Ａ
【特許文献２】ＪＰ５０−００２３０１Ｂ
【特許文献３】ＪＰ２００５−３１２５０７Ａ
【特許文献４】ＪＰ２００３−１９０３５５Ａ
【特許文献５】ＪＰ１０−３２８３４５Ａ
【発明の概要】
【０００４】
ところでグラブの閉じ方は大きく２つに分類することができる。１つは親指部と小指部とを近づけるように閉じる閉じ方（以下、この閉じ方を「深閉じ」という）であり、もう１つが第２指および第３指の指部をグラブの土手に近づけるように閉じる閉じ方（以下、この閉じ方を「浅閉じ」という）である。
【０００５】
図１１（ｂ）は（ａ）のグラブを深閉じした場合を示し、図１１（ｃ）は同グラブを浅閉じした場合を示す。
例えば、外野手のようにボールをしっかりと捕球する必要性の高いポジションでは深閉じが好まれ、内野手（特にセカンドやショート）のように捕球したボールをグラブから取り出して他へ素早く投げる必要性の高いポジションでは浅閉じが好まれる傾向にある。
【０００６】
図１１（ｄ）、（ｅ）はグラブの閉じ方の違いによる捕球エリアの大きさの違いを示すための模式図である。図１１（ｄ）が深閉じをした場合（図１１（ｂ）の場合）の模式図であり、図１１（ｅ）が浅閉じをした場合（図１１（ｃ）の場合）の模式図である。
図１１（ｃ）、（ｅ）の浅閉じに比べ、図１１（ｂ）、（ｄ）の深閉じの場合、捕球エリア（ポケット）が広くなる。そのため、深閉じをしたときの方が浅閉じをしたときよりもボールをキャッチし易くなる。したがって、浅閉じ方向に閉じ難く、深閉じし易いグラブとすることで、捕球の確実性が向上すると考えられる。
【０００７】
しかしながら、このようなグラブの閉じ方、特に深閉じをする場合に着目して捕球操作を向上させたグラブはいずれの先行技術にも開示されていない。
【０００８】
そこで本発明の目的は、深閉じし易く、かつ、浅閉じし難いグラブを提供することである。
【０００９】
まず、本発明の構成の説明に先立って本発明の原理について説明する。
図１２（ａ）、（ｂ）において、白ヌキで示す部位にリヴ（梁）をグラブのウェブに配置した場合、図１２（ａ）の深閉じを行い易く、一方、図１２（ｂ）の浅閉じを抑制できる。したがって、人差し指部の先端から親指部の付け根に向かって延びる板材をウェブに設けることで、グラブが深閉じし易く、かつ、浅閉じし難くなることが分かる。
【００１０】
本発明のグラブのウェブは、人差指部２０の先端側２１と親指部１０の付け根側１２とに連結された第１板部Ｐ１を備え、前記第１板部Ｐ１は、
前記人差指部２０の前記先端側２１から前記親指部１０の前記付け根側１２に向かって斜めに延びる第１エッジラインＥ１と、
前記親指部１０から前記人差指部２０の前記先端側２１に向かって斜めに延びる第２エッジラインＥ２とを有する。
【００１１】
本発明において、第１板部は人差指部の先端側と親指部の付け根側とに連結されて斜めに延びている。そのため、第１板部は図１２（ｂ）の深閉じを妨げにくく、前記リヴ（梁）として作用し図１２（ｃ）の浅閉じに対して曲げの効力を発揮し、浅閉じを抑制する。
【００１２】
ここで、各指部の「先端側」とは、各指部を構成する突出部分を各指部の長さ方向に２等分した先端を含む領域を意味する。
一方、各指部の「付け根側」とは、各指部を構成する突出部分を各指部の長さ方向に２等分した付け根を含む領域を意味する。
【００１３】
本発明において、前記突出部分は人差指部と親指部との間のウェブの領域Ａの基端から突出する部分を意味する。すなわち、第１板部はウェブにおけるグラブの屈曲を制御する
ものであるから、前記各指部の「突出部分の長さ」は各指部のウェブ側の縁に沿った仮想の直線上において定義されるべきである。
【００１４】
「人差指部２０の先端側２１」に連結されたとは、第１板部Ｐ１の一方の端の少なくとも過半（半分よりも大きい部分）が人差指部２０の先端側２１の領域に属することを意味する。また、「親指部１０の付け根側１２」に連結されたとは、第１板部Ｐ１の他方の端の少なくとも過半が親指部１０の付け根側１２の領域に属することを意味する。
したがって、人差指部２０の先端側２１と親指部１０の付け根側１２とに連結された第１板部Ｐ１は、前記先端側２１から付け根側１２に向かって斜めに延びる。
【００１５】
「板部」の用語は、第１板部Ｐ１が革紐（レース）のみで構成されたものではなく、板状であることを意味する。
【００１６】
第１エッジラインＥ１は人差指部２０の先端側２１から親指部１０の付け根側１２に向かって斜めに延びている。そのため、親指部１０が小指部に向かうようにウェブが屈曲するのを前記第１エッジラインＥ１が助長する。
【００１７】
また、第２エッジラインＥ２は親指部１０から人差指部２０の先端側２１に向かって斜めに延びている。そのため、同様にウェブが屈曲するのを前記第２エッジラインＥ２が助長する。
【００１８】
したがって、前記斜めに延びた両エッジラインは、グラブが深閉じし易くなるようにウェブが屈曲するのを助長する。
【００１９】
このように第１板部の両エッジラインが深閉じを助長し、リブ（梁）としての第１板部が浅閉じを抑制する。したがって、グラブは深閉じし易く、かつ、浅閉じし難くなる。
【００２０】
本発明において、「エッジライン」とは板部などの縁（エッジ）を形成する線（ライン）を意味し、連続的に延びている場合の他に、断続的に延びている場合も含む。
【００２１】
本発明において、「…から…に向かって」とは、エッジラインの終端の位置を問題にしていないことを意味する。
【図面の簡単な説明】
【００２２】
【図１】本発明の一実施例を示すグラブを捕球面側から見た斜視図である。
【図２】同グラブを同背面側から見た斜視図である。
【図３】ウェブを捕球面から見た平面図である。
【図４】同ウェブを背面から見た平面図である。
【図５】同ウェブを背面側から見た斜視図である。
【図６】（ａ）はウェブを示す概略平面図、（ｂ）は補助部を取り除いて示すウェブの概略平面図である。
【図７】（ａ）および（ｂ）は他の例を示すウェブの平面図である。
【図８】（ａ），（ｂ）および（ｃ）は他の例を示す主ウェブの平面図である。
【図９】更に他の例を示す主ウェブの平面図である。
【図１０】（ａ）は角θを示す図、（ｂ）はシミュレーションの結果を示す図である。
【図１１】深閉じ及び浅閉じの概念を示す図である。
【図１２】深閉じ及び浅閉じし易いウェブの構造を示すためのグラブの正面図である。
【発明を実施するための形態】
【００２３】
本発明において、前記第１エッジラインＥ１よりも前記第２エッジラインＥ２の方が前記親指部１０のウェブ１側の先端１０Ｔに近い位置に配置されている。
ここにおいて、「親指部１０のウェブ１側の先端１０Ｔ」とは、ウェブの領域を定義する親指部１０の縁の最も先端の点を意味する。しかし、先端の点は第１および第２エッジラインの位置関係を明確にするためのものであり、したがって、厳密にどこかを特定する（できる）必要はない。
【００２４】
好ましくは、前記第１エッジラインＥ１に直交する仮想のラインＶＬが前記第２エッジラインＥ２に交差するように、前記第１板部Ｐ１が設けられている。
【００２５】
この場合、前記仮想のラインＶＬまで前記両エッジラインが延びている。すなわち、両エッジラインの双方または少なくとも一方が第１板部Ｐ１の延びる方向に長く延びている。したがって、更に、深閉じし易く、かつ、浅閉じし難くなる。
【００２６】
好ましくは、前記第１エッジラインＥ１が、前記人差指部２０の前記先端側２１から、前記親指部１０と前記人差指部２０との間に形成された領域Ａを左右に３等分した中央の中央部Ｃまで連続的または断続的に延び、
前記第２エッジラインＥ２が前記親指部１０から前記中央部Ｃまで連続的または断続的に延びている。
【００２７】
この場合、第１および第２エッジラインの各々がウェブ領域Ａの中央部まで延びている。したがって、深閉じし易く、かつ、浅閉じし難い効果が確実に得られ易い。
【００２８】
ここで、「中央部まで…延びている」とは、エッジラインの一部が中央部の端まで延びていればよいことを意味する。
【００２９】
好ましくは、前記第１エッジラインＥ１から前記人差指部２０の付け根側２２に向かって拡がる第１柔領域Ａ１と、
前記第２エッジラインＥ２から前記親指部１０の先端側１１に向かって拡がる第２柔領域Ａ２とを備える。
【００３０】
好ましくは、６前記第１エッジラインＥ１から前記人差指部２０の付け根側２２に向かって拡がり、前記第１板部Ｐ１が前記中央部Ｃから前記人差指部２０の付け根側２２に向かって拡がるのを抑制ないし遮断する第１柔領域Ａ１と、
前記第２エッジラインＥ２から前記親指部１０の先端側１１に向かって拡がり、前記第１板部Ｐ１が前記中央部Ｃから前記親指部１０の先端側１１に向かって拡がるのを抑制ないし遮断する第２柔領域Ａ２とを備える。
【００３１】
第１および第２柔領域は、各々、第１および第２エッジラインに沿って存在し、それぞれ、付け根側２２および先端側１１に向かって拡がっている。そのため、前記エッジラインによる深閉じし易さと浅閉じし難い効果の確実性が高まる。
【００３２】
ここで、「柔領域」の用語は、当該領域が第１板部に比べ柔構造であることを意味する。例えば、前記柔領域にはレースや幅の小さい板材などの部材が配置されていてもよいし、完全な空であってもよい。柔領域に部材が配置されている場合、当該部材の梁としての曲げ剛性は第１板部Ｐ１のそれに比べ小さい。
【００３３】
好ましくは、前記人差指部２０の前記先端側２１と前記親指部１０の先端側１１とに連結された第２板部Ｐ２を更に備える。
【００３４】
この場合、第２板部Ｐ２は親指部１０と人差指部２０の先端側に架設された曲り梁として作用する。そのため、第２板部Ｐ２は親指部１０と人差指部２０との間でウェブが湾曲（屈曲）する際の抵抗となる。かかる抵抗はグラブを浅閉じし難くする。
【００３５】
更に好ましくは、前記親指部１０の前記先端側１１から前記人差指部２０の前記先端側２１に向かって延び前記第２エッジラインＥ２に対向する第３エッジラインＥ３を前記第２板部Ｐ２が備える。
【００３６】
この場合、第２エッジラインＥ２に対抗する第３エッジラインＥ３と前記斜めに延びる第２エッジラインＥ２との間には第１板部Ｐ１よりも剛性の小さい柔領域が形成されることになる。したがって、深閉じし易くなる。
【００３７】
好ましくは、前記人差指部２０の付け根側２２と前記親指部１０の付け根側１２とに連結された第３板部Ｐ３を更に備える。
【００３８】
この場合、第２板部Ｐ２は親指部１０と人差指部２０の付け根側に架設された曲り梁として作用する。そのため、第２板部Ｐ２は親指部１０と人差指部２０の間でウェブが湾曲（屈曲）する際の抵抗となる。かかる抵抗はグラブを浅閉じし難くする。
【００３９】
更に好ましくは、前記人差指部２０から前記親指部１０に向かって延び前記第１エッジラインＥ１に対向する第４エッジラインＥ４を前記第３板部Ｐ３が備える。
【００４０】
この場合、第１エッジラインＥ１に対抗する第４エッジラインＥ４と前記斜めに延びる第１エッジラインＥ１との間には第１板部Ｐ１よりも剛性の小さい柔領域が形成されることになる。したがって、深閉じし易くなる。
【００４１】
好ましくは、前記第１板部Ｐ１の延びる方向に交差する方向に延びレースおよび／または板材で形成された補助部７を更に備え、前記第１板部Ｐ１の厚さＴおよび幅Ｗと、前記補助部７の厚さと幅とが下記の（１）式を満たす。
Ｔ３＊Ｗ＞１．２＊（Ｔ1３＊Ｗ１＋…＋Ｔi３＊Ｗi＋…＋Ｔn３＊Ｗn）……（１）
但し、
Ｔi：任意の補助部の厚さ
Ｗi：任意の補助部の幅
【００４２】
素材のヤング率Ｅが一定であるとすると、板状や棒状の部材の曲げ剛性ＥＩｚは素材の（厚さ）の３乗と幅の積に比例する。
したがって、（１）式を満たす補助部７は第１板部Ｐ１の延びる方向に交差する方向に関する剛性ＥＩｚが第１板部Ｐ１に比べ小さい。その結果、深閉じし易く、かつ、浅閉じし難い効果が確保される。
【００４３】
かかる理由から、より好ましくは下記の（２）式を満たし、下記の（３）式を満たすのが最も好ましい。
Ｔ３＊Ｗ＞４．０＊（Ｔ１３＊Ｗ１＋…＋Ｔｉ３＊Ｗｉ＋…＋Ｔｎ３＊Ｗｎ）……（２）
Ｔ３＊Ｗ＞８．０＊（Ｔ１３＊Ｗ１＋…＋Ｔｉ３＊Ｗｉ＋…＋Ｔｎ３＊Ｗｎ）……（３）
【００４４】
好ましくは、前記人差指部２０のウェブ１側のエッジラインＥ２０と前記第１エッジラインＥ１とのなす角θが３０°〜８０°に設定されている。
【００４５】
後述するように角θが９０°に近いと斜めに延びる第１板部Ｐ１による効果が小さくなる。したがって、角θは７５°以下が更に好ましく、６５°以下が最も好ましい。
【００４６】
一方、角θが小さすぎると、第１板部Ｐ１を親指部１０の付け根側１２に連結できない。したがって、角θは３５°以上が更に好ましく、４０°以上が最も好ましい。
【実施例】
【００４７】
以下、本発明の実施例を図面にしたがって説明する。
図１〜図６は実施例１を示す。
【００４８】
図１において、野球用のグラブは第１指〜第５指を各々挿入する５本の指部１０〜５０を備える。親指用の親指部１０と第２指（人差指）用の人差指部２０との間には、ウェブ１が設けられている。各指部１０〜５０は袋状で、手の挿入口６０を形成する本体部６から指先に向かって突出する。
【００４９】
本発明において、本体部６とは手の掌や手の甲を覆う部位をいう。
指部１０〜５０とは指を挿入するための袋状の部位で、指袋のうちの本体部６から突出している部位をいう。
【００５０】
本体部６および各指部１０〜５０はボールを受ける捕球面Ｆと、その反対側の背面Ｂ（図２）とを備える。互いに隣り合う指部同士は例えば革紐からなるレースを含む連結部によって互いに連結されている。図２の人差指部２０とウェブ１との間やウェブ１と親指部１０との間は、レースなどの連結部Ｊによって互いに連結されている。
【００５１】
図１において、親指部１０と人差指部２０との間には、ウェブ領域Ａが形成されている。ウェブ領域Ａには捕球面Ｆから見た場合にＺ字状の主ウェブＰが配置されている。主ウェブＰは図２の背面Ｂから見た場合には逆Ｚ字状となる。
【００５２】
図３および図４に示すように、主ウェブＰは板状で第１板部Ｐ１に第２および第３板部Ｐ２，Ｐ３が連なっている。ウェブ領域Ａには本体部６からウェブ領域Ａに張り出した板状の補助ウェブＰ４が配置されている。
【００５３】
前記ウェブＰは連結部Ｊによって親指部１０と人差指部２０とに連結されている。連結部Ｊは例えばレースで構成される。すなわち、第１、第２および第３板部Ｐ１、Ｐ２、Ｐ３は、各々、連結部Ｊとしてのレースを介して親指部１０と人差指部２０とに跨るように架設されている。
なお、各板部Ｐ１〜Ｐ３の左右の端部は親指部１０および／または人差指部２０と一部において重なり合っていてもよいし、重なりあっていなくてもよい。
【００５４】
図６（ａ）、（ｂ）に示すように、第１板部Ｐ１は人差指部２０の先端側２１と親指部１０の付け根側１２とに連結されている。第１板部Ｐ１は、第１エッジラインＥ１および第２エッジラインＥ２を有する。
【００５５】
第１エッジラインＥ１は人差指部２０の先端側２１から親指部１０の付け根側１２に向かって斜めに延びる。第２エッジラインＥ２は親指部１０から人差指部２０の先端側２１に向かって斜めに延びる。第１エッジラインＥ１よりも第２エッジラインＥ２の方が親指部１０のウェブ１側の先端１０Ｔに近い位置に配置されている。
【００５６】
第２板部Ｐ２は人差指部２０の先端側２１と親指部０の先端側１１とに連結されている。第２板部Ｐ２は第３エッジラインＥ３を備える。第３エッジラインＥ３は親指部１０の先端側１１から人差指部２０の先端側２１に向かって延び第２エッジラインＥ２に対向する。
図６（ａ）の第２板部Ｐ２と第１板部Ｐ１とは人差指側において互いに重なりあっている。すなわち、第２エッジラインＥ２の延長線Ｅ２１と第３エッジラインＥ３の延長線Ｅ３１との間の板部Ｐ１２は第１および第２板部Ｐ１，Ｐ２の一部である。
なお、図６（ａ）の板部Ｐ１２にはドット模様を付している。
【００５７】
図６（ｂ）において、本例の場合、人差指部２０のウェブ１側のエッジラインＥ２０と第１エッジラインＥ１とのなす角θは例えば４０°〜６５°に設定されている。
【００５８】
第３板部Ｐ３は人差指部２０の付け根側２２と親指部１０の付け根側１２とに連結されている。第３板部Ｐ３は第４エッジライン４Ｅを備える。第４エッジライン４Ｅは人差指部２０から親指部１０に向かって延び第１エッジラインＥ１に対向する。
図６（ａ）の第３板部Ｐ３と第１板部Ｐ１とは親指側において互いに重なりあっている。すなわち、第１エッジラインＥ１の延長線Ｅ１１と第４エッジラインＥ４の延長線Ｅ４１との間の板部Ｐ１３は第１および第３板部Ｐ１，Ｐ３の一部である。
なお、図６（ａ）の板部Ｐ１３にはドット模様を付している。
【００５９】
図６（ｂ）の各指部１０，２０の先端側１１，２１および付け根側１２，２２は、それぞれ、各指部１０，２０を長さ方向に２等分した先端側および付け根側の部分または領域を意味し、便宜上、例えば、以下のように定めることができる。
【００６０】
図６（ｂ）において、親指部１０および人差指部２０においてウェブ側の最も突出した点である先端１０Ｔおよび２０Ｔを定める。つぎに、前記先端１０Ｔと先端２０Ｔとを結んだ仮想の先端ラインＴＬを定める。一方、親指部１０および人差指部２０のウェブ側の縁に沿った仮想の第１および第２ライン１０Ｌ、２０Ｌを定める。更に本体部６のウェブ側の縁に沿った仮想の第３ライン３０Ｌを定める。これら４本のラインの交点Ｏ１１，Ｏ１２，Ｏ２１，Ｏ２２のうち、点Ｏ１１，Ｏ１２間の線分を２等分して親指部１０の先端側１１および付け根側１２を求めることができる。同様に点Ｏ２１，Ｏ２２間の線分を２等分して人差指部２０の先端側２１および付け根側２２を求めることができる。
【００６１】
第１エッジラインＥ１と第４エッジラインＥ４との間には第１柔領域Ａ１が形成されている。一方、第２エッジラインＥ２と第３エッジラインＥ３との間には第２柔領域Ａ２が形成されている。図６（ａ）の第３板部Ｐ３と補助ウェブＰ４との間には第３柔領域Ａ３が配置されている。
【００６２】
図６（ｂ）において、第１柔領域Ａ１は第１エッジラインＥ１から人差指部２０の付け根側２２に向かって拡がる。かかる拡がりを持つ第１柔領域Ａ１は第１板部Ｐ１が中央部Ｃから人差指部２０の付け根側２２に向かって拡がるのを抑制ないし遮断する。第１柔領域Ａ１は、中央部Ｃから人差指部２０に向かって末広がりの三角形状に形成されていてもよい。
【００６３】
一方、第２柔領域Ａ２は、第２エッジラインＥ２から親指部１０の先端側１１に向かって拡がる。かかる拡がりを持つ第２柔領域Ａ２は、第１板部Ｐ１が中央部Ｃから親指部１０の先端側１１に向かって拡がるのを抑制ないし遮断する。第２柔領域Ａ２は中央部Ｃから親指部１０に向かって末広がりの三角形状に形成されていてもよい。
【００６４】
中央部Ｃはウェブ領域Ａを左右に３等分した中央の領域である。中央部Ｃは便宜上、例えば、以下のように定めることができる。
【００６５】
まず、点Ｏ１１と点Ｏ２１を結ぶ線分を３等分する点Ｃ１，Ｃ２を定める。ついで、点Ｏ１２と点Ｏ２２を結ぶ線分を３等分する点Ｃ３，Ｃ４を定める。こうして定めた４つの点Ｃ１〜Ｃ４をＣ１，Ｃ２，Ｃ３，Ｃ４，Ｃ１の順に線分で結んでできた方形の領域が中央部Ｃである。
【００６６】
本実施例において、第１エッジラインＥ１は人差指部２０の先端側２１から中央部Ｃまで連続的に延びている。また、第２エッジラインＥ２は親指部１０から中央部Ｃまで連続的に延びている。
【００６７】
本実施例においては第１エッジラインＥ１に直交する仮想のラインＶＬが第２エッジラインＥ２に交差するように、第１板部Ｐ１が設けられている。この場合、第１エッジラインＥ１と第２エッジラインＥ２とは、中央部Ｃにおいて第１板部Ｐ１を挟んで互いに対峙するように配置されている。この場合、仮想のラインＶＬに沿った方向に延びる板部がないため、深閉じし易くなる。
【００６８】
図７（ａ）の別の例に示すように、第１および第２エッジラインＥ１，Ｅ２は、少なくとも一方のラインが中央部Ｃの縁に到達する程度に中央部Ｃまで延びていてもよい。この場合、第１エッジラインＥ１と第２エッジラインＥ２とは中央部Ｃにおいて第１板部Ｐ１を挟んでいない。なお、図７（ａ）では第２エッジラインＥ２がちょうど中央部Ｃの縁に到達するところまで延び、第１エッジラインＥ１は中央部Ｃの縁を越えて中央部Ｃの中まで延びている。
【００６９】
図６（ａ）、図７（ｂ）または図８（ａ）に示すように第１板部Ｐ１は補助部７を備えていてもよい。補助部７は第１板部Ｐ１の延びる方向に交差する方向に延びる図６（ａ）のレースで形成されていてもよいし、図７（ｂ）または図８（ａ）の板材で形成されていてもよい。また、前記レースおよび板材の双方を補助部７としてウェブ１が備えていてもよい。
【００７０】
図７（ｂ）および図８（ａ）に示すように、第１および第２エッジラインＥ１，Ｅ２は、断続的に延びていてもよい。かかる断続的なエッジラインＥ１，Ｅ２は中央部Ｃまで延びているのが好ましい。
【００７１】
図７（ｂ）の補助部７としての１つの板材の幅Ｗｉが第１板部Ｐ１の幅Ｗに比べ十分に小さい場合、エッジラインＥ１，Ｅ２が断続的に延びていると認定される。一方、図４および図８（ａ）の補助部７としてのレースや板材の幅Ｗｉの総和が第１板部Ｐ１の幅Ｗよりも大きくても、補助部７の厚さＴｉ（図５）の総和が第１板部Ｐ１の厚さＴ（図５）に比べ十分に小さい場合、エッジラインＥ１，Ｅ２が断続的に延びていると認定される。
【００７２】
例えば、図５の主ウェブＰは２枚の皮革が縫い合わされて形成されているが、補助部７が１枚の皮革である場合、前記（１）、（２）または（３）式を満たす。この場合、エッジラインＥ１，Ｅ２が断続的に延びていると認定される。
【００７３】
なお、図６（ａ）の他のレース７Ｌが第１板部Ｐ１と第２板部Ｐ２との間、第１板部Ｐ１と第３板部Ｐ３との間、または、第３板部Ｐ３と第４板部Ｐ４の間に配置されていてもよい。
【００７４】
図１０（ａ）、図８（ｂ）および図８（ｃ）に示すように、主ウェブＰは１又は複数の矩形等の板状ウェブで構成されていてもよい。また、図９に示すように、主ウェブＰは逆Ｚ字状ではなく、Ｖ字状であってもよい。
【００７５】
図７（ｂ）に示す第１板部Ｐ１の幅Ｗは１０〜５０ｍｍ程度であってもよい。幅Ｗが小さい程、閉じ易くなる。
【００７６】
第１板部Ｐ１の幅Ｗは均一である必要はなく、図９（ｇ）および（ｈ）のように、テーパ状であってもよい。また、図９（ａ），（ｂ），（ｆ）のように、第１板部Ｐ１は湾曲していてもよい。また、図９（ｇ）のように、主ウェブＰの第１板部Ｐ１には親指部１０側に切り欠き９０を有していてもよい。
【００７７】
人差指部２０のウェブ側のエッジライン２０Ｅと第１エッジラインＥ１とのなす角θは例えば以下のように求めることができる。
図８（ｂ）において、第１エッジラインＥ１又はその延長線とエッジライン２０Ｅとの交点に前記エッジライン２０Ｅに接する接線ＬＴを引く。接線ＬＴと第１エッジラインＥ１とのなす角をθとすることができる。
【００７８】
図９（ａ）、（ｂ）、（ｃ）、（ｆ）および（ｊ）のように、第１エッジラインＥ１が湾曲している場合、便宜上、図９（ａ）のように第１エッジラインＥ１の両端の点を結んだ仮想のラインＥ１ｖを第１エッジラインＥ１として用いて前記角θ（図８（ｂ））を求めることができる。すなわち、仮想のラインＥ１ｖと図８（ｂ）の接線ＬＴとのなす角をθとすることができる。
【００７９】
前記角θの好ましい範囲を有限要素法による固有値解析により調べた。解析条件として、解析モデルの寸法は市販されている一般的な大人用の内野手グラブと同一とした。ただし、解析に用いたモデルはグラブの全体形状をモデル化したものではなく、捕球面およびウェブ形状のみをモデル化したものである。また、モデル化したグラブの捕球面およびウェブの弾性率は３０ＭＰａに設定した。
【００８０】
このような解析条件のもと、グラブの特定の閉じ方向Ｎにおける固有振動数ｆＮを算出し、それに基づいて好ましい角θの範囲を解析した。
閉じ方向Ｎにおけるグラブの剛性をＫＮ、グラブの重量をＭとすると、固有振動数ｆＮは次の（４）式から求められる。
ｆＮ＝（１／２π）＊（ＫＮ／Ｍ）１／２  ……（４）
グラブ重量Ｍが一定の場合、固有振動数ｆＮが小さい程、閉じ方向Ｎに対して閉じ易いことを意味する。逆にいえば、固有振動数ｆＮが大きい程、その閉じ方向Ｎに対して閉じ難いことになる。
したがって深閉じし易く、且つ浅閉じし難いグラブとするには、深閉じ方向における固有振動数ｆ１が小さく、且つ浅閉じ方向における固有振動数ｆ２が大きくなるようにすればよい。すなわち、（ｆ１／ｆ２）＝（Ｋ１／Ｋ２）１／２ができる限り小さければよい。ここで剛性ＫＮは角θに依存する値である。
【００８１】
以上を踏まえて、図１０（ａ）の矩形状の主ウェブＰの角θを変化させて前記ｆ１／ｆ２の値を電子計算機により算出した。その値を図１０（ｂ）のグラフ中に黒丸で示す。
【００８２】
図１０（ｂ）から分かるように、４０°≦θ≦６５°において、ｆ１／ｆ２の値が小さくなる。すなわち、この解析結果によれば、角θを４０°≦θ≦６５°の範囲にすることによってグラブを深閉じし易く、かつ、浅閉じし難くすることができるといえる。
これは図１２に示したように、角θが４０°≦θ≦６５°の範囲にあると、主ウェブＰが深閉じ時の閉じ方向に対しては略垂直の方向に延びたリブとなり、深閉じ動作にあまり影響を与えないのに対し、浅閉じ時の閉じ方向に対してはその閉じ方向に対して略水平に延びたリブとなり、浅閉じ動作の妨げになるためと考えられる。
【００８３】
このようなことから、図６（ｂ）の人差指部２０の先端側２１と親指部１０の付け根側１２とに連結された第１板部Ｐ１は、前記先端側２１から付け根側１２に向かって斜めに延びる。また、一般に、「人差指部２０の先端側２１」に連結された第１板部Ｐ１の一方の端は、少なくとも過半（半分よりも大きい部分）、好ましくは全部が人差指部２０の先端側２１の領域に属する。また、「親指部１０の付け根側１２」に連結された第１板部Ｐ１の他方の端は、少なくとも過半、好ましくは全部が親指部１０の付け根側１２の領域に属する。
【産業上の利用可能性】
【００８４】
本発明のグラブは野球の他に、準硬式、軟式およびソフトボール用として利用できる。
【符号の説明】
【００８５】
１：ウェブ   
１０：親指部  １０Ｔ：先端  １１：先端側  １２：付け根側
２０：人差指部  ２１：先端側  ２２：付け根側
６：本体部  ６０：挿入口
７：補助部  ７Ｌ：レース  
Ａ：領域  Ａ１：第１柔領域  Ａ２：第２柔領域
Ｂ：非捕球面  Ｆ：捕球面
Ｅ１：第１エッジライン  Ｅ２：第２エッジライン  Ｅ３：第３エッジライン
Ｅ４：第４エッジライン  Ｅ２０：エッジライン
Ｊ：連結部
Ｐ：主ウェブ  Ｐ１：第１板部  Ｐ２：第２板部  Ｐ３：第３板部  
Ｐ４：補助ウェブ
Ｃ：中央部
ＶＬ：仮想のライン
【図１】
0006532133.tif 000002
【図２】
0006532133.tif 000003
【図３】
0006532133.tif 000004
【図４】
0006532133.tif 000005
【図５】
0006532133.tif 000006
【図６】
0006532133.tif 000007
【図７】
0006532133.tif 000008
【図８】
0006532133.tif 000009
【図９】
0006532133.tif 000010
【図１０】
0006532133.tif 000011
【図１１】
0006532133.tif 000012
【図１２】
0006532133.tif 000013